(57)【要約】【課題】ひとり親家庭の子供たちのためにスポーツ系スクールでの活動の金銭的な支援を行う。【解決手段】  コンピューターシステムを用いてひとり親家庭の子供にスポーツ系スクールの入会金及び月会費の援助を行うためのスポーツ系スクール活動支援方法。ひとり親家庭へは、ひとり親及び子供の所定の情報、入会済あるいは入会希望のスポーツ系スクールの情報を入力させ、活動支援に賛同するスポーツ系スクールについては、同スクールについての所定の情報を入力させ、管理・運用機構については、ひとり親家庭のファイル、スポーツ系スクールのファイルにアクセス可能とし、ひとり親家庭のファイル及びスポーツ系スクールのファイルを参照し、スポーツ系スクールの入会金及び月会費の援助条件を満たす場合には入会金及び月会費の援助決定し、援助決定をひとり親家庭及びスポーツ系スクールに通知することを特徴とする。【選択図】図２
2017138681.tif 000002
【特許請求の範囲】
【請求項１】
コンピューターシステムを用いてひとり親家庭の子供にスポーツ系スクールの入会金及び月会費の援助を行うひとり親家庭の子供たちのためのスポーツ系スクール活動支援方法であって、ひとり親家庭の端末、スポーツ系スクールの端末及び管理・運用機構の端末はインターネットを介してサーバーに接続され、
ひとり親家庭については、ひとり親及び当該子供の所定の情報、入会済あるいは入会希望のスポーツ系スクールの情報を入力させ、これらの情報をひとり親家庭のファイルに保存し、
活動支援に賛同するスポーツ系スクールについては、スポーツ系スクールについての所定の情報を入力させ、この情報をスポーツ系スクールのファイルに保存し、
管理・運用機構については、ひとり親家庭のファイル、スポーツ系スクールのファイルにアクセス可能とし、ひとり親家庭のファイル及びスポーツ系スクールのファイルを参照し、スポーツ系スクールの入会金及び月会費の援助条件を満たすかどうかを確認し、満たす場合には入会金及び月会費の援助決定し、入会金及び月会費の助成決定を管理・運用機構のファイルに保存し、入会金及び月会費の援助決定をひとり親家庭及びスポーツ系スクールに通知することを特徴とする、ひとり親家庭の子供たちのためのスポーツ系スクール活動支援方法。
【請求項２】
管理・運用機構については、資金スポンサーの所定の情報を入力させ、管理・運用機構ファイルに保存することを特徴とする請求項１に記載のひとり親家庭の子供たちのためのスポーツ系スクール活動支援方法。
【請求項３】
管理・運用機構については、助成金を付与する国・地方公共団体等の所定の情報を入力させ、管理・運用機構ファイルに保存することを特徴とする請求項１または２に記載のひとり親家庭の子供たちのためのスポーツ系スクール活動支援方法。
【請求項４】
ひとり親家庭について、登録するのに会費を取る場合には、ひとり親及び当該子供の所定の情報には所定の会費の納入事実の情報も含まれる、請求項１乃至３のいずれかに記載のひとり親家庭の子供たちのためのスポーツ系スクール活動支援方法。
【請求項５】
スポーツ系スクールについて、登録するのに会費を取る場合には、活動支援に賛同するスポーツ系スクールの所定の情報には所定の会費の納入事実の情報も含まれる、請求項１乃至４のいずれかに記載のひとり親家庭の子供たちのためのスポーツ系スクール活動支援方法。
【発明の詳細な説明】
【技術分野】
【０００１】
本発明は、ひとり親家庭の子供にスポーツ系スクールの入会金及び月会費の援助を行うコンピュータシステムを用いたひとり親家庭の子供たちのためのスポーツ系スクール活動支援方法に関する。
【背景技術】
【０００２】
現在、多くの子供たちはスポーツ系スクールに通ってスポーツを楽しんでいる。一方、ひとり親家庭は厳しい環境に置かれており、年々増加の傾向にあり、特に母子のみの世帯に関しては大幅に増加している。ひとり親家庭の平均収入（特に母子世帯）は一般世帯の世帯年収の約３分の１とかなり低い。親の就業状況の収入面からくるその子供たちへの教育費や生活費の面で非常に苦しい状況にあり、子供に塾やスポーツ系スクールなどの習い事をさせることが非常に困難であり、学力、体力面で他の子供たちと差が出る可能性がある。
【０００３】
スポーツは子供の体力を補強し、健康な体と健全な精神の育成に欠かせず、スポーツの復興はひいては明るい社会を築くのに役立ち、また子供のころからスポーツをさせることによってスポーツの才能を開花させ、国際的に活躍するスポーツ選手を育成するのに役立つ。しかしながら、国や地方団体等はそんな境遇の家庭（子供）に対して、生活支援、教育支援を行っているが、スポーツを含め習い事の支援は行っていないのが現状である。
【先行技術文献】
【特許文献】
【０００４】
【特許文献１】特開２００３−１６７９５８
【発明の概要】
【発明が解決しようとする課題】
【０００５】
そこで、本発明者は、ひとり親家庭環境の子供たちのためにスポーツを通じてより良い教育環境の整備の一環として、このような環境にいる子供たちにスポーツ系スクールでスポーツで育んでもらうとともに、スポーツの才能を開花してもらうための支援をすることを目的とし、一般の人や企業や国・地方公共団体等の資金・助成金の提供を受けることを通してひとり親家庭の子供たちのスポーツの応援・支援を促すものである。
また、本発明は、ひとり親家庭の子供たちのスポーツ系スクールに対する社会的支援を誘引し、たとえ国の支援や環境整備が十分でなくとも一般人や民間企業の資金を提供してもらうことで、ひとり親家庭の子供たちのスポーツにおける教育・育成の環境を整えることを目的とする。
さらに、この環境の中から１人でも多くの国を代表するアスリートを育てることを目的とする。
【課題を解決するための手段】
【０００６】
本発明は、以下のひとり親家庭の子供たちのためのスポーツ系スクール活動支援方法を提供する。
［請求項１］
コンピューターシステムを用いてひとり親家庭の通学中の子供にスポーツ系スクールの入会金及び月会費の援助を行うひとり親家庭の子供たちのためのスポーツ系スクール活動支援方法であって、ひとり親家庭の端末、スポーツ系スクールの端末及び管理・運用機構の端末にはインターネットを介してサーバーに接続され、
ひとり親家庭については、ひとり親及び当該子供の所定の情報、入会済あるいは入会希望のスポーツ系スクールの情報を入力させ、これらの情報をひとり親家庭のファイルに保存し、
活動支援に賛同するスポーツ系スクールについては、スポーツ系スクールについての所定の情報を入力させ、この情報をスポーツ系スクールのファイルに保存し、
管理・運用機構については、ひとり親家庭のファイル、スポーツ系スクールのファイルにアクセス可能とし、ひとり親家庭のファイル及びスポーツ系スクールのファイルを参照し、スポーツ系スクールの入会金及び月会費の援助条件を満たすかどうかを確認し、満たす場合には入会金及び月会費の援助を決定し、入会金及び月会費の援助の決定を管理・運用機構ファイルに保存し、入会金及び月会費の援助の決定をひとり親家庭及びスポーツ系スクールに通知することを特徴とする、ひとり親家庭の子供たちのためのスポーツ系スクール活動支援方法。
【０００７】
［請求項２］
管理・運用機構については、資金スポンサーの所定の情報を入力させ、管理・運用機構ファイルに保存することを特徴とする請求項１に記載のひとり親家庭の子供たちのためのスポーツ系スクール活動支援方法。
［請求項３］
管理・運用機構については、助成金を付与する国・地方公共団体等の所定の情報を入力させ、管理・運用機構ファイルに保存することを特徴とする請求項１または２に記載のひとり親家庭の子供たちのためのスポーツ系スクール活動支援方法。
［請求項４］
ひとり親家庭について、登録するのに会費を取る場合には、ひとり親及び当該子供の所定の情報には所定の会費の納入事実の情報も含まれる、請求項１乃至３のいずれかに記載のひとり親家庭の子供たちのためのスポーツ系スクール活動支援方法。
［請求項５］
活動支援に賛同するスポーツ系スクールについて、登録するのに会費を取る場合には、活動支援に賛同するスポーツ系スクールの所定の情報には所定の会費の納入事実の情報も含まれる、請求項１乃至４のいずれかに記載のひとり親家庭の子供たちのためのスポーツ系スクール活動支援方法。
【発明の効果】
【０００８】
本発明のひとり親家庭の子供たちのためのスポーツ系スクール活動支援方法によれば、ひとり親家庭の子供がスポーツ系スクールの入会金・月会費を援助してもらえることで、経済的不安が軽減されスポーツを楽しみ、スポーツに取り組むことを可能とする。
また、ひとり親家庭の子供をスポーツ系スクールに預けることができるので、ひとり親は仕事により集中でき、それにより世帯収入が増える可能性がある。
本発明のひとり親家庭の子供たちのためのスポーツ系スクール活動支援方法によれば、資金を提供する企業等は、子育て支援とスポーツ育成支援（スポーツ振興）を通して企業等のＣＳＲの姿勢としてのブランディングをすることが可能となり、イメージ戦略での販売促進になる。
【０００９】
スポーツ系スクールでは、本発明のひとり親家庭の子供たちのためのスポーツ系スクール活動支援方法にスクール登録することでスクール参加者の親に対し社会的意義のある活動をしているというアッピールとなる。また、スクール登録することによって、スクール加入者数が増大する可能性がある。
本発明のスポーツ系スクールでのひとり親家庭の子供たちのためのスポーツ系スクール活動支援方法は、ひとり親家庭の子供たち向けのスポーツ系スクール活動をしてもらうための支援を企業や個人に資金提供してもらう仕組みであり、ひとり親家庭に登録をしてもらい、そこに登録することでスポーツ系スクールに入会する時に必要な入学金や毎月発生する月会費を支援するというもので、またその資金を一般の方、一般の企業から集める仕組みとなる。
【図面の簡単な説明】
【００１０】
【図１】インターネット上のひとり親家庭スポーツ支援サイトの例を示す。
【図２】本発明のひとり親家庭の子供たちのためのスポーツ系スクール活動支援方法における実施形態の構成を示すブロック図である。
【図３】本発明のひとり親家庭の子供たちのためのスポーツ系スクール活動支援方法における実施形態のサーバーの構成を示すブロック図である。
【図４】本発明のひとり親家庭の子供たちのためのスポーツ系スクール活動支援方法における実施形態のひとり親家庭端末の動作を示すフローチャートである。
【図５】本発明のひとり親家庭の子供たちのためのスポーツ系スクール活動支援方法における実施形態のスポーツ系スクール端末の動作を示すフローチャートである。
【図６】本発明のひとり親家庭の子供たちのためのスポーツ系スクール活動支援方法における実施形態の管理・運用機構端末の動作を示すフローチャートである。
【図７】本発明のひとり親家庭の子供たちのためのスポーツ系スクール活動支援方法における実施形態の管理・運用機構端末の動作を示すフローチャートである。
【発明を実施するための形態】
【００１１】
本発明のひとり親家庭の子供たちのためのスポーツ系スクール活動支援方法における一実施形態について図面を参照して説明する。
始めに、本発明では「ひとり親家庭の子供」の「子供」は、１８歳以下の子供、主に通学中の子供を意味する。ひとり親家庭の子供は１人に限定しなくともよい。
図１は、インターネット上のスポーツ系スクールでのひとり親家庭の子供の活動支援サイトの例を示す。本サイトでは、ひとり親家庭サイト、スポーツ系スクールサイト、管理・運用機構サイトのボタンがあり、それらを押すことによってひとり親家庭端末、スポーツ系スクール端末、管理・運用機構端末にそれぞれ移行するようになっている。また、本発明のひとり親家庭の子供たちのためのスポーツ系スクール活動支援方法に関わるスポーツ系スクールのスポーツ種が例示されるとともに、資金提供及び国／地方公共団体等の助成金の表示がされ、管理・運用機構名が表示されている。
【００１２】
図２は、本発明のひとり親家庭の子供たちのためのスポーツ系スクール活動支援方法における実施形態の構成を示すブロック図である。サーバー１は、経路制御装置、電話回線を経由してインターネット２に接続され、ひとり親家庭端末３、スポーツ系スクール端末４、管理・運用機構端末５は、サーバーと同様にしてインターネット２に接続される。各端末は、それぞれＣＲＴやＬＣＤ等の表示部とともに、キーボード、マウス等の入力部を有する。簡略の為、ひとり親家庭端末３、スポーツ系スクール端末４は各1台を示してあるが、該当するひとり親家庭、該当するスポーツ系スクールの各々の端末がインターネット２を介してサーバー１に接続されている。各端末は、それぞれＣＲＴやＬＣＤ等の表示部、キーボード、マウス等の入力部を有する。
【００１３】
図３は、本発明のひとり親家庭の子供たちのためのスポーツ系スクール活動支援方法における実施形態のサーバーの構成を示すブロック図である。
図３において、１１はＣＰＵ等から構成された制御装置であり、各部の制御や、データの転送、種々の演算、データの一時的な収納等を行なう。１２は入力制御手段であり、インターネット２を介して接続された端末から入力されるデータを制御する。１３は出力制御装置であり、端末に出力されるデータを制御する。１４〜１７はいずれも記憶手段であり、それぞれ以下のファイルが収納、記憶されている。
【００１４】
まず、記憶手段１４には、メインプログラムが記憶されており、かかるメインプログラムは、制御装置１１において用いられる。例えば、各端末の表示部に一連の入力画面等を表示させるプログラムや、文字検索により必要な情報を得るための検索用プログラム等から構成される。他に、この記憶手段１４には、端末３，４，５から送信されてきた情報が一時的に収納される。なお、これらの動作については、いずれも後述する。
【００１５】
１５はひとり親家庭ファイルであり、ひとり親家庭端末で入力されたデータを収納、記憶する。ひとり親家庭ファイルは、各スポーツ系スクールの登録番号毎に作成され、登録者ＩＤ、パスワード、スポーツ系スクール固有の情報から構成される。このうち、登録番号は、端末からの登録があった場合に、制御装置１１により自動的に付与される。
【００１６】
１６はスポーツ系スクールファイルであり、スポーツ系スクール端末で入力されたデータを収納、記憶する。スポーツ系スクールファイルは、各スポーツ系スクールの登録番号毎に作成され、登録者ＩＤ、パスワード、スポーツ系スクール固有の情報から構成される。このうち、登録番号は、端末からの登録があった場合に、制御装置１１により自動的に付与される。
１７は管理・運用機構ファイルであり、管理・運用機構端末で入力されたデータを収納、記憶する。管理・運用機構ファイルは、登録者ＩＤ、パスワード、管理・運用機構固有の情報から構成される。
【００１７】
次に、本実施形態の動作について説明する。ここで、図３に示したひとり親家庭端末３、スポーツ系スクール端末４、管理・運用機構端末５は、それぞれサーバー１に接続されて通信を行ない、サーバー１に端末が接続されると、制御装置１１は、この接続を入力制御手段１２を介して検知し、メインプログラムにしたがって端末を制御する。なお、図３にはひとり親家庭端末３、スポーツ系スクール端末４が一台づつが表示されているが、各ひとり親家庭の端末、各スポーツ系スクールの端末が接続される。図４乃至図７は、かかるメインプログラムの動作を示すフローチャートである。
【００１８】
図４には、ひとり親家庭端末の動作のフローチャートを示す。ステップS1で新規登録、既登録かを選択する。図４における入力例は例示に過ぎず、更に追加項目を設けることもできる。
制御装置１１は、メインプログラムに従ってひとり親家庭端末の表示部に対して図4に示すような一連の画面を表示させる。まず、ステップＳ１で新規登録を押すと、ステップＳ２ａに進みＩＤとパスワード（ＰＷ）を設定する。ＩＤとＰＷを設定後OKであれば、ステップＳ３ａに進みひとり親データを入力する。図4に示すひとり親データ及び子供データは一例であってこれらのものに限定されない。例えば、氏名、住所、電話、ｅメール、家族構成、勤務先、電話、eメール、年収等からなる。
【００１９】
ひとり親データを入力後ＯＫであれば、ステップＳ４ａに進み子供データ入力へ進む。子供データは、氏名、学校名、電話、ｅメール等からなり、子供データ入力後ＯＫであれば、ステップＳ５ａに進み入会／入会希望のスポーツ系スクールの名称を入力させる。ひとり親データ及び子供データ及び入会／入会希望のスポーツ系スクールの入力画面で表示されていない部分はスクロールして入力可能となっている。
スポーツ系スクールの名称を入力する場合には、プルダウンで登録されているスポーツ系スクールの中から所定のスポーツ系スクールを選択させるようにすることができる。ひとり親家庭に登録条件として登録年会費が必要な場合には、スポーツ系スクールの名称を入力後ＯＫであれば、ステップＳ６ａに進み、例えば振込データ：銀行名等、振込日時、振込Ｎｏ．，振込金額等を入力させ、振込データ入力後ＯＫであれば、ステップＳ７ａの確認画面に進み、確認画面でＯＫであればステップＳ８ａの登録に進む。登録情報は最終的にひとり親家庭ファイルに収納保存される。
【００２０】
なお、振込がまだの場合にはステップＳ５ａでスポーツ系スクールデータ入力しＯＫであれば仮登録をさせ、振込後後述の既登録ボタンからステップＳ２ｂに移行し、Ｓ２ｂでＩＤ、ＰＷ入力し、変更からステップＳ４ｂの変更画面に移行し仮登録情報を呼び出し、振込データ：銀行名等、振込日時、振込Ｎｏ．，振込金額等を入力させ、振込データ入力後ＯＫであれば、ステップＳ５ｂの確認画面に進み、確認画面でＯＫであればステップＳ６ｂの登録に進ませることもできる。
【００２１】
ひとり親家庭が既登録の場合は、ステップＳ２ｂへ進みＩＤとＰＷを入力させＯＫであれば、ステップＳ３ｂへ進み、閲覧・確認、変更、脱会のいずれかを選択する。Ｓ３ｂで閲覧・確認を選択するとステップＳ４ｂの閲覧・確認画面に移行しＯＫであれば閲覧・確認を終了をする。変更がある場合には、ステップＳ３ｂで変更を選択し、ステップＳ４ｂへ移行し、変更画面で変更内容を入力し、変更ＯＫであればステップＳ５ｂに進みＩＤとＰＷを再入力し、ＩＤとＰＷがＯＫであれば、ステップＳ６ｂの登録に進み登録を完了する。
【００２２】
図５には、スポーツ系スクール端末４を示す。ステップＳ１１で新規登録、既登録かを選択する。図５における入力例は例示に過ぎず、更に追加項目を設けることもできる。
制御装置１１は、メインプログラムに従ってスポーツ系スクール端末の表示部に対して図５に示すような一連の画面を表示させる。まず、ステップＳ１１で新規登録または既登録を選択する。S１１で新規登録を押すと、ステップＳ１２ａに進みＩＤとパスワード（ＰＷ）を設定する。ＩＤとＰＷを設定後ＯＫであれば、ステップＳ１３ａに進みスポーツ系スクールの情報を入力する。スポーツ系スクールのデータは、例えば、名称、住所、電話、ｅメール、スポーツ種別、スクール紹介等からなる。
【００２３】
スポーツ系スクールデータを入力後ＯＫをであれば、登録が有料の場合にはステップＳ１４ａに進み、例えば振込データ：銀行名等、振込日時、振込Ｎｏ．，振込金額等を入力させ、振込データ入力後ＯＫであれば、ステップＳ１５ａの確認画面に進み、確認画面でＯＫであればステップＳ１６ａの登録に進む。登録情報は最終的にスポーツ系スクールファイルに収納保存される。なお、振込がまだの場合にはステップＳ１３ａでスポーツ系スクールデータを入力しＯＫであれば仮登録をさせ、振込後ステップＳ１１で後述の既登録を選択し、ステップＳ１２ｂでＩＤ、ＰＷ入力しＯＫであれば、ステップＳ１３ｂに進み変更からステップＳ１４ｂの変更画面に移行し仮登録情報を呼び出し、振込データ：銀行名等、振込日時、振込Ｎｏ．，振込金額等を入力させ、振込データ入力後ＯＫであれば、ステップＳ１５ｂの確認画面に進み、確認画面でＯＫであればステップＳ１６ｂの登録に進ませることもできる。登録情報は最終的にスポーツ系スクールファイルに収納保存される。
【００２４】
スポーツ系スクールが既登録の場合は、ステップＳ１２ｂへ進みＩＤとＰＷを入力させＯＫであれば、ステップＳ１３ｂへ進み、閲覧・確認、変更、脱会のいずれかを選択する。閲覧・確認を選択するとステップＳ１４ｂの閲覧・確認画面へ進みＯＫであれば閲覧・確認を終了する。変更がある場合には、ステップＳ１３ｂで変更を選択しステップＳ１４ｂの変更画面へ進み、変更画面で変更内容を入力し、変更ＯＫであればステップＳ１５ｂに進みＩＤとＰＷを再入力し、ＩＤとＰＷがＯＫであれば、ステップＳ１６ｂの登録に進み登録を完了する。登録情報は最終的にスポーツ系スクールファイルに収納保存される。
【００２５】
図６及び図７は、管理・運用機構端末のフローチャートを示す。管理・運用機構端末には管理者権限が与えられ、ひとり親家庭ファイル１５、スポーツ系スクールファイル１６、管理・運用機構ファイル１７へのアクセス可能とされている。図６及び図７における入力例は例示に過ぎず、更に追加項目を設けることもできる。
制御装置１１は、メインプログラムに従って管理・運用機構端末の表示部に対して図６、図７に示すような一連の画面を表示させる。まず、新規登録の場合にはステップＳ２１で新規登録を選択してステップＳ２２ａへ進み、Ｓ２２ａで管理・運用ＩＤ、ＰＷを設定しＯＫであれば、ステップＳ２３へ進む。Ｓ２３でひとり親家庭Ｓ２３−１，スポーツ系スクールＳ２３−２、資金・助成金２３−３が表示される。ひとり親家庭を選択するとステップＳ２４−１に進み、ひとり親家庭のＩＤを入力しＯＫであればひとり親データ、子供データ、振込状況、選択したスクール系スポーツを閲覧可能となっている。
【００２６】
並行してステップＳ２３でスポーツ系スクールＳ２３−２を選択しステップＳ２４−２に進み、スポーツ系スクールのＩＤを入力しＯＫであればスポーツ系スクールのデータを閲覧する。
ひとり親家庭データ及びスポーツ系スクールのデータを比較し、助成・援助基準を満たすと判断した場合にはステップＳ２６ａに進み、助成確認・決定を行い、さらにＩＤとＰＷを再入力しＯＫであれば決定事項を登録する。登録情報は最終的にスポーツ系スクールファイルに収納保存される。次に、ステップＳ２９ａにおいて、ひとり親家庭、スポーツ系スクールへの援助金支給決定の通知を行う。その後管理・運用機構の企業は援助金・助成金をひとり親家庭あるいはスポーツ系スクールに支払う。ひとり親家庭データ及びスポーツ系スクールのデータを比較する場合に、それぞれのデータをプリントアウトして比較を行うこともできる。
【００２７】
また、ステップＳ２３で資金・助成金Ｓ２３−３を選択し、ステップＳ２４−３へ進み資金・助成金ＩＤを入力し、資金・助成金ＩＤがＯＫであれば、ステップＳ２５−３に移行し、入力、閲覧・確認、変更、脱会のいずれかを選択できるようになっている。Ｓ２５−３で入力を選択するとステップＳ２６−１に移行し、資金・助成金データ入力画面に対して各資金・助成金データ情報：資金スポンサー→名称、住所、助成資金額等、あるいは国、各地方公共団体→名称、住所、助成額等を入力するようになっている。入力後ＯＫであればステップＳ２７−１の確認画面に移行し、内容確認後ＯＫであればステップＳ２８−１に移行しＩＤ，ＰＷを再入力し、ＩＤ，ＰＷがＯＫであればステップＳ２９−１で登録を完了する。登録情報は最終的に管理・運用機構ファイルに収納保存される。
【００２８】
ステップＳ２５−３で閲覧・確認を選択するとステップＳ２６−２の閲覧・確認画面に移行し、閲覧・確認内容がＯＫであればステップＳ２７−２に移行し終了することができる。また、ステップＳ２５−３で変更を選択するとステップＳ２６−３に移行し、登録内容の変更が可能となり、登録内容の変更がＯＫであればステップＳ２７−３に移行し、ＩＤ、ＰＷを再入力しＩＤ、ＰＷがＯＫであればステップＳ２８−３に移行し、登録を行う。登録情報は最終的に管理・運用機構ファイルに収納保存される。また、ステップＳ２５−３で脱会を選択するとステップＳ２６−４に移行し、ステップＳ２６−４で脱会処理を行い、脱会処理がＯＫであればステップＳ２７−３に移行し、ＩＤ、ＰＷを再入力し、ＩＤ、ＰＷがＯＫであればステップＳ２８−３に移行し、脱会の登録を完了させる。脱会登録情報は最終的に管理・運用機構ファイルに収納保存される。
【符号の説明】
【００２９】
１・・・サーバー、２・・・インターネット、３・・・ひとり親家庭端末、４・・・スポーツ系スクール端末、５・・・管理・運用機構端末、１１・・・制御装置、１２・・・入力制御手段、１３・・・出力制御手段、１４・・・記憶手段（メインプログラム）、１５・・・記憶手段（ひとり親家庭ファイル）、１６・・・記憶手段（スポーツ系スクールファイル）、１７・・・記憶手段（管理・運用機構ファイル）、［図４］ひとり親家庭端末画面（ステップ）：Ｓ１・・・新規登録、既登録選択画面、Ｓ２ａ，Ｓ２ｂ・・・ＩＤ、ＰＷ設定画面、ＩＤ，ＰＷ入力画面、Ｓ３ａ・・・ひとり親データ入力画面、Ｓ４ａ・・・子供データ入力画面、Ｓ５ａ・・・入会済・入会希望スポーツ系スクール入力画面、Ｓ６ａ・・・振込データ入力画面、Ｓ７ａ・・・確認画面、Ｓ８ａ・・・登録画面、Ｓ３ｂ・・・閲覧・確認／変更／脱会画面、Ｓ４ｂ・・・閲覧・確認画面、変更画面、脱会画面、Ｓ５ｂ・・・ＩＤ，ＰＷ再入力画面、Ｓ６ｂ・・・登録画面、［図５］スポーツ系スクール端末画面（ステップ）：Ｓ１１・・・新規登録、既登録選択画面、Ｓ１２ａ，Ｓ１２ｂ・・・ＩＤ、ＰＷ設定画面、ＩＤ，ＰＷ入力画面、Ｓ１３ａ・・・スポーツ系スクールデータ入力画面、Ｓ１４ａ・・・振込データ入力画面、Ｓ１５ａ・・・確認画面、Ｓ１６ａ・・・登録画面、Ｓ１３ｂ・・・閲覧・確認／変更／脱会選択画面、Ｓ１４ｂ・・・閲覧・確認画面、変更画面、脱会画面、Ｓ１５ｂ・・・ＩＤ，ＰＷ再入力画面、Ｓ１６ｂ・・・登録画面、［図６、図７］管理・運用機構端末入力画面（ステップ）：Ｓ２１・・・新規登録、既登録選択画面、Ｓ２２ａ，Ｓ２２ｂ・・・ＩＤ、ＰＷ設定画面、ＩＤ，ＰＷ選択画面、Ｓ２３・・・ひとり親家庭／スポーツ系スクール／資金・助成金選択画面、ひとり親家庭Ｓ２３−１，スポーツ系スクールＳ２３−２、資金・助成金Ｓ２３−３、Ｓ２４−１・・・ひとり親家庭ＩＤ入力画面、Ｓ２４−２・・・スポーツ系スクールＩＤ入力画面、Ｓ２４−３・・・資金・助成金ＩＤ入力画面、Ｓ２５−１・・・ひとり親家庭データ確認画面、Ｓ２５−２・・・スポーツ系スクールデータ確認画面、Ｓ２５−３・・・入力／閲覧・確認／変更／脱会選択画面、Ｓ２６ａ・・・助成確認・決定画面、Ｓ２７ａ・・・ＩＤ、ＰＷ再入力画面、２８ａ・・・登録画面、Ｓ２９ａ・・・ひとり親、スポーツ系スクールへの助成金支給決定通知、Ｓ２６−１・・・資金・助成金データ入力画面、Ｓ２６−２、Ｓ２６−３、Ｓ２６−４・・・閲覧・確認画面、変更画面、脱会画面、Ｓ２７−１・・・確認画面、Ｓ２７−２・・・終了画面、Ｓ２７−３・・・ＩＤ、ＰＷ再入力画面、Ｓ２８−１・・・ＩＤ、ＰＷ再入力画面、Ｓ２８−３・・・登録画面、Ｓ２９−１・・・登録画面
【図１】
2017138681.tif 000003
【図２】
2017138681.tif 000004
【図３】
2017138681.tif 000005
【図４】
2017138681.tif 000006
【図５】
2017138681.tif 000007
【図６】
2017138681.tif 000008
【図７】
2017138681.tif 000009